(57)【要約】【課題】棚の左右両側が什器本体に支持される既存の什器と比較して、収納空間を様々な形状に区画することが可能な什器を提供する。【解決手段】物品を収納するための空間を包有し、幅寸法が奥行寸法よりも大きく、奥行方向に離間して対をなす前後の支持体１７を備えている什器本体１と、前後の支持体１７に前端部及び後端部がそれぞれ支持される、物品を載置可能な棚２１、２２、２３とを具備する収納用什器を構成した。これにより、大きさや形状が様々である雑多な物品を一括して収納することが可能な什器を具現できる。【選択図】図１
2020065825.tif 000002
【特許請求の範囲】
【請求項１】
物品を収納するための空間を包有し、幅寸法が奥行寸法よりも大きく、奥行方向に離間して対をなす前後の支持体を備えている什器本体と、
前後の支持体に前端部及び後端部がそれぞれ支持される、物品を載置可能な棚と
を具備する収納用什器。
【請求項２】
前記支持体が幅方向に拡張しており、前記棚の前端部または後端部における幅方向に拡張した範囲を支持する請求項１記載の収納用什器。
【請求項３】
前記棚として、幅寸法が前記什器本体の幅寸法よりも小さい部分棚を具備し、その部分棚よりも下方の領域と上方の領域とが当該部分棚により遮られずに連続した空間を什器本体が内包している請求項１または２記載の収納用什器。
【請求項４】
前記什器本体が、その側端部に設立される側柱と、側柱よりも内側方に偏倚した位置に設立される中柱とを備えており、側柱または中柱に前記支持体が固定される請求項１、２または３記載の収納用什器。
【請求項５】
前記支持体のうちの前側の支持体が固定される前記中柱と、後側の支持体が固定される前記中柱とが奥行方向に離間しており、前記棚がそれら中柱の間を通過して当該中柱よりも左右に拡張している請求項４記載の収納用什器。
【請求項６】
前記棚の下面にブラケットを介してバーが固定され、衣服を掛けるハンガーのフックをそのバーに引っ掛けてハンガー及び衣服を棚の下方の空間に吊り下げることができる請求項１、２、３、４または５記載の収納用什器。
【請求項７】
物品を収納するための空間を包有し、幅寸法が奥行寸法よりも大きく、その側端部よりも内側方に偏倚した位置に設立される中柱、及び中柱に固定される支持体を備えている什器本体と、
幅寸法が前記什器本体の幅寸法よりも小さく、前記支持体に支持される、物品を載置可能な部分棚と
を具備する収納用什器。
【発明の詳細な説明】
【技術分野】
【０００１】
本発明は、什器本体が包有する物品を収納するための空間に棚を設置してなる収納用什器に関する。
【背景技術】
【０００２】
什器本体の内部空間に棚を複数段設けた収納用什器が周知である（例えば、下記特許文献を参照）。この種の什器においては、棚の左右両側を、什器本体の側端部に位置する側柱に支持させることが通例となっている。棚を設置する高さ位置や棚の段数は、多くのもので変更が可能である。
【０００３】
棚の両側を側柱に支持させる都合上、各段の棚は何れも、什器本体の左方の側端部から右方の側端部まで、什器本体の内部空間の全域に亘って幅方向に拡張することになる。必然的に、物品を収納するための空間が各段の棚により隔絶され、幅広だが高くない複数の部分空間に区画される。それにより、大きさや形状が様々である雑多な物品を一括して収納することが難しくなる。例えば、上下に高い縦長の形状の物品を収納することには向かない。
【先行技術文献】
【特許文献】
【０００４】
【特許文献１】特開２０１８−１２１８３３号公報
【発明の概要】
【発明が解決しようとする課題】
【０００５】
本発明は、棚の左右両側が什器本体に支持される既存の什器と比較して、収納空間を様々な形状に区画することが可能な什器を提供しようとするものである。
【課題を解決するための手段】
【０００６】
本発明では、物品を収納するための空間を包有し、幅寸法が奥行寸法よりも大きく、奥行方向に離間して対をなす前後の支持体を備えている什器本体と、前後の支持体に前端部及び後端部がそれぞれ支持される、物品を載置可能な棚とを具備する収納用什器を構成した。
【０００７】
前記支持体は、幅方向に拡張しており、前記棚の前端部または後端部における幅方向に拡張した範囲を支持するものとすることが好ましい。
【０００８】
前記棚として、幅寸法が前記什器本体の幅寸法よりも小さい部分棚を具備し、その部分棚よりも下方の領域と上方の領域とが当該部分棚により遮られずに連続した空間を什器本体が内包しているならば、上下に高い縦長の形状の物品を収納することが容易となる。
【０００９】
前記什器本体が、その側端部に設立される側柱と、側柱よりも内側方に偏倚した位置に設立される中柱とを備えており、側柱または中柱に前記支持体が固定されるものとすれば、支持体の幅寸法を什器本体の幅寸法よりも短尺にすることができる。
【００１０】
前記支持体のうちの前側の支持体が固定される前記中柱と、後側の支持体が固定される前記中柱とが奥行方向に離間しており、前記棚がそれら中柱の間を通過して当該中柱よりも左右に拡張しているならば、棚上に幅方向に連続した収納空間を形成できる。
【００１１】
前記棚の下面にブラケットを介してバーが固定され、衣服を掛けるハンガーのフックをそのバーに引っ掛けてハンガー及び衣服を棚の下方の空間に吊り下げることができるものとすれば、什器本体内の空間の一部をワードローブとして使用可能となる。
【００１２】
並びに、本発明では、物品を収納するための空間を包有し、幅寸法が奥行寸法よりも大きく、その側端部よりも内側方に偏倚した位置に設立される中柱、及び中柱に固定される支持体を備えている什器本体と、幅寸法が前記什器本体の幅寸法よりも小さく、前記支持体に支持される、物品を載置可能な部分棚とを具備する収納用什器を構成した。
【発明の効果】
【００１３】
本発明によれば、棚の左右両側が什器本体に支持される既存の什器と比較して、収納空間を様々な形状に区画することが可能な什器を実現できる。
【図面の簡単な説明】
【００１４】
【図１】本発明の一実施形態の収納用什器の斜視図。
【図２】同実施形態の収納用什器の化粧用パネルを取り付けた状態の斜視図。
【図３】同実施形態の収納用什器の正面図。
【図４】同実施形態の収納用什器の側柱及び上フレームを示す分解斜視図。
【図５】同実施形態の収納用什器の側柱及び下フレームを示す分解斜視図。
【図６】同実施形態の収納用什器の側柱、笠木及び幅木の連結構造を示す正断面図。
【図７】同実施形態の収納用什器の側柱、上連結材及び下連結材の連結構造を示す側断面図。
【図８】同実施形態の収納用什器の中柱及び笠木を示す分解斜視図。
【図９】同実施形態の収納用什器の中柱、幅木、棚及び棚受を示す分解斜視図。
【図１０】同実施形態の収納用什器の中柱、笠木及び幅木の連結構造を示す正断面図。
【図１１】同実施形態の収納用什器の中柱、支持体及び棚の支持構造を示す側断面図。
【図１２】本発明の変形例の一を示す正面図。
【図１３】本発明の変形例の一を示す平断面図。
【発明を実施するための形態】
【００１５】
本発明の一実施形態を、図面を参照して説明する。図１ないし図１１に示す本実施形態の収納用什器は、物品を収納するための空間３１、３２、３３、３４、３５、３６を包有し、幅寸法が奥行寸法よりも大きい什器本体１と、その什器本体１内に配設する複数段の棚２１、２２、２３とを具備する。なお、図２では特定の空間領域３３の側方及び後方を遮蔽する化粧パネル４１、４２、４３を取り付けているのに対して、図１ではそれら化粧パネル４１、４２、４３をオミットしている。
【００１６】
什器本体１は、当該什器本体１の四隅の位置に設立する側柱１１と、側柱１１の上端部同士を連結する上フレーム１３と、上フレーム１３に支持させた頂板１４と、側柱１１の下端部同士を連結する下フレーム１５と、下フレーム１５に支持させた底板１６と、側柱１１よりも内側方に偏倚した位置に設立する中柱１２と、側柱１１または中柱１２に固定した横桟状の棚受１７とを備える。棚受１７は、各段の棚２１、２２、２３の前端部及び後端部を支持する支持体である。
【００１７】
側柱１１は什器本体１の左右両側部にあり、それら側柱１１を上フレーム１３及び下フレーム１５により剛結することで、一体の自立した構造体を構築する。上フレーム１３は、左右に並立する二本の側柱１１の上端部同士を連結する前後一対の笠木１３１と、前後に並立する二本の側柱１１の上端部同士を連結する左右一対の上連結材１３２とを要素とする。上フレーム１３を構成する笠木１３１及び上連結材１３２は、平面視四方枠状をなす。側柱１１は鉛直方向に伸長する角パイプ材であり、笠木１３１は幅方向に伸長する角パイプ材であり、上連結材１３２は奥行方向に伸長する角パイプ材である。笠木１３１の幅方向に沿った長手寸法は、上連結材１３２の奥行方向に沿った長手寸法よりも長い。
【００１８】
笠木１３１の左右の側端部の端面はそれぞれ、左右の側柱１１の上端部の内側壁に当接する。側柱１１と笠木１３１とは、ねじまたはボルト１３３を使用して締結してもよいし、溶接してもよい。図４及び６に示すように、本実施形態では、側柱１１の上端部の内側壁にこれを貫通する挿通孔１１１を穿つとともに、笠木１３１の側端部にこの挿通孔１１１と向き合うナット１３１１を設け、挿通孔１１１に挿通したねじまたはボルト１３３の軸部をナット１３１１に螺合せしめることにより、笠木１３１の側端部を側柱１１の上端部に締結している。側柱１１の上端部の外側壁における、側面視挿通孔１１１と重なり合う箇所に穿ってある貫通孔１１２は、ねじまたはボルト１３３をナット１３１１に螺合緊締する操作を行う際にドライバ等の工具を通すためのものである。笠木１３１の上壁の側端には、笠木１３１のその他の部位の側端面よりも外側方に突き出した突片１３１２を形成している。この突片１３１２は、側柱１１の内側壁の上端を一部切り欠いて形成した切欠１１３に収まり、笠木１３１の側端部を左右の側柱１１の上端部に対して位置決めする。
【００１９】
上連結材１３２の前後端部の端面はそれぞれ、前側の側柱１１の上端部の後壁及び後側の側柱１１の上端部の前壁に当接する。側柱１１と上連結材１３２とは、ねじまたはボルトを使用して締結してもよいし、溶接してもよい。本実施形態では、上連結材１３２の前後端部を側柱１１の上端部に溶接している。図４及び図７に示すように、上連結材１３２の下壁の前端及び後端には、上連結材１３２のその他の部位の前後端面よりも前方または後方に突き出した突片１３２１を形成している。この突片１３２１は、前側の側柱１１の上端部の後壁及び後側の側柱１１の上端部の前壁に開設したスロット１１４に収まり、上連結材１３２の前後端部を前後の側柱１１の上端部に対して位置決めする。
【００２０】
頂板１４は、側柱１１の上端、上フレーム１３の笠木１３１、上連結材１３２、及び笠木１３１に固定した頂板受１３４に載置する。頂板受１３４は、その上面が笠木１３１の上壁面と面一または略面一となっている水平片を含む。頂板受１３４の水平片は、前側の笠木１３１の後壁より後方に張り出し、また後側の笠木１３１の前壁より前方に張り出しており、かつ幅方向に拡張している。笠木１３１と頂板受１３４とは、ねじまたはボルトを使用して締結してもよいし、溶接してもよい。あるいは、初めから笠木１３１と頂板受１３４とを一体成形しても構わない。頂板１４の下面と当接する頂板受１３４の水平片にはこれを貫通する挿通孔１３４１を穿ち、頂板１４にはこの挿通孔１３４１と向き合うナット１４１を設け、挿通孔１３４１に挿通したねじまたはボルト１４２の軸部をナット１４１に螺合せしめることにより、頂板１４を頂板受１３４に締結し、以て頂板１４を上フレーム１３に対して固着する。この頂板１４の上には、随意の物品を載せ置くことが可能である。
【００２１】
下フレーム１５は、左右に並立する二本の側柱１１の下端部同士を連結する前後一対の幅木１５１と、前後に並立する二本の側柱１１の下端部同士を連結する左右一対の下連結材１５２とを要素とする。下フレーム１５を構成する幅木１５１及び下連結材１５２は、平面視四方枠状をなす。幅木１５１は幅方向に伸長する角パイプ材であり、下連結材１５２は奥行方向に伸長する角パイプ材である。幅木１５１の幅方向に沿った長手寸法は笠木１３１の幅方向に沿った長手寸法に等しく、下連結材１５２の奥行方向に沿った長手寸法は上連結材１３２の奥行方向に沿った長手寸法に等しい。前者が後者よりも長いことは言うまでもない。
【００２２】
幅木１５１の左右の側端部の端面はそれぞれ、左右の側柱１１の下端部の内側壁に当接する。側柱１１と幅木１５１とは、ねじまたはボルト１５３を使用して締結してもよいし、溶接してもよい。図５及び６に示すように、本実施形態では、側柱１１の下端部の内側壁にこれを貫通する挿通孔１１５を穿つとともに、幅木１５１の側端部にこの挿通孔１１５と向き合うナット１５１１を設け、挿通孔１１５に挿通したねじまたはボルト１５３の軸部をナット１５１１に螺合せしめることにより、幅木１５１の側端部を側柱１１の下端部に締結している。側柱１１の下端部の外側壁における、側面視挿通孔１１５と重なり合う箇所に穿ってある貫通孔１１６は、ねじまたはボルト１５３をナット１５１１に螺合緊締する操作を行う際にドライバ等の工具を通すためのものである。幅木１５１の下壁の側端には、幅木１５１のその他の部位の側端面よりも外側方に突き出した突片１５１２を形成している。この突片１５１２は、側柱１１の下端部の内側壁に開設したスロット１１７に収まり、幅木１５１の側端部を左右の側柱１１の下端部に対して位置決めする。
【００２３】
下連結材１５２の前後端部の端面はそれぞれ、前側の側柱１１の下端部の後壁及び後側の側柱１１の下端部の前壁に当接する。側柱１１と下連結材１５２とは、ねじまたはボルトを使用して締結してもよいし、溶接してもよい。本実施形態では、下連結材１５２の前後端部を側柱１１の下端部に溶接している。図５及び図７に示すように、下連結材１５２の下壁の前端及び後端には、下連結材１５２のその他の部位の前後端面よりも前方または後方に突き出した突片１５２１を形成している。この突片１５２１は、前側の側柱１１の下端部の後壁及び後側の側柱１１の下端部の前壁に開設したスロット１１８に収まり、下連結材１５２の前後端部を前後の側柱１１の下端部に対して位置決めする。
【００２４】
底板１６は、四方枠状をなす下フレーム１５の内周に嵌め込むようにして、幅木１５１に固定した底板受１５４に載置する。底板受１５４は、その上面が幅木１５１の上壁面よりも低く、幅木１５１の下壁面に近い高さ位置にある水平片を含む。底板受１５４の水平片は、前側の幅木１５１の後壁より後方に張り出し、また後側の幅木１５１の前壁より前方に張り出している。幅木１５１と底板受１５４とは、ねじまたはボルトを使用して締結してもよいし、溶接してもよい。あるいは、初めから幅木１５１と底板受１５４とを一体成形しても構わない。底板１６の下面と当接する底板受１５４の水平片にはこれを貫通する挿通孔１５４１を穿ち、底板１６にはこの挿通孔１５４１と向き合うナット１６２を設け、挿通孔１５４１に挿通したねじまたはボルト１６２の軸部をナット１６１に螺合せしめることにより、底板１６を底板受１５４に締結し、以て底板１６を下フレーム１５に対して固着する。底板１６の上面は、下フレーム１５の幅木１５１の上壁面及び下連結材１５２の上壁面と面一または略面一となる。この底板１６の上には、随意の物品を載せ置くことが可能である。
【００２５】
側柱１１の下端部は、脚として床面に接地する。側柱１１の下端部には、高さ調整用のアジャスタ１１９を設ける。加えて、側柱１１よりも内側方に偏倚した位置に、床面に接地する補助脚１８を付設することもできる。図１ないし図３に示すように、本実施形態では、什器本体１の幅寸法の中央部に、前後に並立し底板１６を下方から支える二本の補助脚１８を配している。これら補助脚１８は、その上端部同士を連結板１８１により連結し、当該連結板１８１を底板１６の下面に固定している。底板１６と連結板１８１とは、ねじまたはボルトを使用して締結してもよいし、溶接してもよい。補助脚１８の下端部にも、高さ調整用のアジャスタ１８２を設ける。
【００２６】
本実施形態の収納用什器にあって、棚２１、２２、２３は、その幅寸法が什器本体１の幅寸法よりも小さい部分棚となっている。部分棚２１、２２、２３は、既存の什器の棚のように、左右両方の側端部を什器本体１の左右の側柱１１に支持させることができない。そこで、本実施形態では、棚２１、２２、２３の前端部及び後端部を、側柱１１及び／または中柱１２に固着した前後の棚受１７にそれぞれ支持させるようにしている。
【００２７】
中柱１２は、鉛直方向に伸長する角パイプ材である。中柱１２は、上フレーム１３から下フレーム１５まで亘っており、中柱１２の上端部の端面は笠木１３１の下壁に当接し、下端部の端面は幅木１５１の上壁に当接する。中柱１２と笠木１３１とは、ねじまたはボルト１２２を使用して締結してもよいし、溶接してもよい。図８及び１０に示すように、本実施形態では、笠木１３１の下壁にこれを貫通する挿通孔１３１３を穿つとともに、中柱１２の上端部にこの挿通孔１３１３と向き合うナット１２１を設け、挿通孔１３１３に挿通したねじまたはボルト１２２の軸部をナット１２１に螺合せしめることにより、中柱１２の上端部を笠木１３１に締結している。笠木１３１の上壁における、平面視挿通孔１３１３と重なり合う箇所に穿ってある貫通孔１３１４は、ねじまたはボルト１２２をナット１２１に螺合緊締する操作を行う際にドライバ等の工具を通すためのものである。中柱１２の側壁の上端には、中柱１２のその他の部位の上端面よりも上方に突き出した突片１２３を形成している。この突片１２３は、笠木１３１の下壁に開設したスロット１３１５に収まり、中柱１２の上端部を笠木１３１に対して位置決めする。
【００２８】
中柱１２と幅木１５１とは、ねじまたはボルト１２２を使用して締結してもよいし、溶接してもよい。図９及び１０に示すように、本実施形態では、幅木１５１の上壁にこれを貫通する挿通孔１５１３を穿つとともに、中柱１２の下端部にこの挿通孔１５１３と向き合うナット１２１を設け、挿通孔１５１３に挿通したねじまたはボルト１２２の軸部をナット１２１に螺合せしめることにより、中柱１２の下端部を幅木１５１に締結している。幅木１５１の下壁における、平面視挿通孔１５１３と重なり合う箇所に穿ってある貫通孔１５１４は、ねじまたはボルト１２２をナット１２１に螺合緊締する操作を行う際にドライバ等の工具を通すためのものである。中柱１２の側壁の下端には、中柱１２のその他の部位の下端面よりも下方に突き出した突片１２３を形成している。この突片１２３は、幅木１５１の上壁に開設したスロット１５１５に収まり、中柱１２の下端部を幅木１５１に対して位置決めする。
【００２９】
側柱１１が前後に対をなしているのと同様に、中柱１２もまた前後に対をなしている。即ち、前側の笠木１３１及び幅木１５１に連結する前側の中柱１２と、後側の笠木１３１及び幅木１５１に連結する後側の中柱１２とが、奥行方向に離間している。その上で、前側の側柱１１及び中柱１２、後側の側柱１１及び中柱１２にそれぞれ、幅方向に伸長した横桟である棚受１７を固設する。図７、図９及び図１１に示すように、前側の棚受１７は、前側の側柱１１または中柱１２の後壁に接合する直立片１７１と、直立片１７１の下縁から後方に張り出し棚２１、２２、２３の前端部を下方より支える水平片１７２とが、側面視略Ｌ字形をなす部材である。後側の棚受１７は、後側の側柱１１または中柱１２の前壁に接合する直立片１７１と、直立片１７１の下縁から前方に張り出し棚２１、２２、２３の後端部を下方より支える水平片１７２とが、側面視略Ｌ字形をなす部材である。幅方向に拡張した棚受１７の水平片１７２により、棚２１、２２、２３の前端部及び後端部における幅方向に拡張した範囲を支持することができる。
【００３０】
棚受１７と、側柱１１または中柱１２とは、ねじ１７３またはボルトを使用して締結してもよいし、溶接してもよい。図７、図９及び１１に示しているように、本実施形態では、棚受１７の直立片１７１にこれを貫通する挿通孔１７１１を穿つとともに、側柱１１または中柱１２の前壁または後壁にこの挿通孔１７１１と向き合うナット孔１１０、１２０を設け、挿通孔１７１１に挿通したねじ（特に、皿ねじ）１７３の軸部をナット孔１１０、１２０に螺合せしめることにより、棚受１７の直立片１７１を側柱１１または中柱１２の前壁または後壁に締結している。
【００３１】
前後に対をなす棚受１７の水平片１７２は同一または略同一の高さ位置にあり、それら水平片１７２の上面は面一または略面一となる。その両水平片１７２に跨るように、棚２１、２２、２３の前端部を前側の棚受１７の水平片１７２に載置し、棚２１、２２、２３の後端部を後側の棚受１７の水平片１７２に載置することで、棚２１、２２、２３を棚受１７ひいては什器本体１に支持させる。各段の棚２１、２２、２３の上には、随意の物品を載せ置くことが可能である。因みに、図示例の棚２１、２２、２３は板棚２１、２２、２３であるが、棚２１、２２、２３は前後左右を囲繞する縁となる四方枠に網を支持させた網棚であってもよいし、複数本の棒材を隙間を隔てて配列した態様のものであってもよい。
【００３２】
既に述べた通り、什器本体１の前側の中柱１２及び棚受１７と、後側の中柱１２及び棚受１７とは、奥行方向に沿って離間している。これにより、棚２１及び棚受１７が前後の中柱１２の間を通過して、当該中柱１２よりも左右に拡張することができる。図１ないし図３に示すように、本実施形態では、最上段の棚２１及びこの棚２１を支持する棚受１７が、左方の中柱１２の近傍から幅方向に沿って右方に拡張し、右方の中柱１２を越えて右方の側柱１１の近傍にまで至っている。最上段の棚２１を支持する棚受１７は、その左側端部を左方の側柱１１に固定し、その右側端部を右方の側柱１１に固定し、中間部を右方の中柱１２に固定している。そして、この最上段の棚２１上の収納空間３１は、前後に対をなして離間した右方の中柱１２の間隙を介して、左方の中柱１２の近傍から右方の側柱１１の近傍まで一貫して連続している。
【００３３】
中段の棚２２及びこの棚２２を支持する棚受１７は、左方の側柱１１の近傍から幅方向に沿って右方に拡張し、左方の中柱１２の近傍まで至っている。中段の棚２２を支持する棚受１７は、その左側端部を左方の側柱１１に固定し、その右側端部を左方の中柱１２に固定している。一方で、最上段の棚２１及びこれを支持する棚受１７は、左方の中柱１２よりも左方には拡張していない。従って、中段の棚２２上の収納空間３２は、最上段の棚２１により隔絶されない、即ち最上段の棚２１よりも下方の領域と上方の領域とが連続した縦長の空間となる。しかも、この空間３２の前方及び後方の開口は、最上段の棚２１を支持する棚受１７によって遮られない。中段の棚２２上の空間３２は、幅寸法は大きくないが上下に高い形状の物品を収納するのに適している。この空間３２は、前後に対をなして離間した左方の中柱１２の間隙を介して、最上段の棚２１上の空間３１にも連通している。
【００３４】
最下段の棚２３及びこの棚２３を支持する棚受１７は、左方の中柱１２の近傍から幅方向に沿って右方に拡張し、右方の中柱１２の近傍まで至っている。最下段の棚２３を支持する棚受１７は、その左側端部を左方の中柱１２に固定し、その右側端部を右方の中柱１２に固定している。一方で、中段の棚２２及びこれを支持する棚受１７は、左方の中柱１２よりも右方には拡張していない。従って、最下段の棚２３上の収納空間３３は、中段の棚２２により隔絶されない、即ち中段の棚２２よりも下方の領域と上方の領域とが連続した空間となる。しかも、この空間３３の前方及び後方の開口は、中段の棚２２を支持する棚受１７によって遮られない。最下段の棚２３の幅寸法、換言すれば左方の中柱１２と右方の中柱１２との幅方向に沿った離間距離は、什器本体１の幅寸法の半分以上に大きい。故に、最下段の棚２３上の収納空間３３は、比較的広大となる。この空間３３は、例えばディスプレイ等の大形の物品を収納しまたは配置するのに適している。図２に示すように、最下段の棚２３上の空間３３の側方及び後方は、化粧パネル４１、４２、４３により遮蔽することができる。但し、化粧パネル４１、４２、４３を設けることは必須ではなく、取り除いても構わない。
【００３５】
最下段の棚２３及びこれを支持する棚受１７は、左方の中柱１２よりも左方には拡張していない。従って、中段の棚２２下の収納空間３４は、最下段の棚２３により隔絶されない、即ち最下段の棚２３よりも下方の領域と上方の領域とが連続した空間となる。しかも、この空間３４の前方及び後方の開口は、最下段の棚２３を支持する棚受１７によって遮られない。中段の棚２２下の空間３４は、幅寸法は大きくないが上下に高い形状の物品を収納するのに適している。この空間３４は、前後に対をなして離間した左方の中柱１２の間隙を介して、底板１６上かつ最下段の棚２３下の空間３６に連通している。
【００３６】
また、最下段の棚２３及びこれを支持する棚受１７は、右方の中柱１２よりも右方には拡張していない。従って、右方の中柱１２よりも右方の区画における、最上段の棚２１下の収納空間３５は、最下段の棚２３により隔絶されない、即ち最下段の棚２３よりも下方の領域と上方の領域とが連続した縦長の空間となる。この空間３５の上下寸法は、左方の中柱１２よりも左方の区画における、中段の棚２２上の空間３２または中段の棚２２下の空間３４の上下寸法よりも大きい。
【００３７】
上記の空間３５は、ワードローブとして使用することが可能である。最上段の棚２１における、右方の中柱１２よりも右方に迫り出した部位の下面には、ブラケット２１１を介してバー２１２を固定している。バー２１２は、最上段の棚２１の下面から下方にある程度離間した高さ位置にあり、衣服を掛けるハンガーのフックをそのバー２１２に引っ掛けることで、ハンガー及び衣服を棚２１の下方の空間３５に吊り下げることができる。この空間３５に、上下に高い物品を収納してもよいことは勿論である。
【００３８】
本実施形態では、物品を収納するための空間３１、３２、３３、３４、３５、３６を包有し、幅寸法が奥行寸法よりも大きく、奥行方向に離間して対をなす前後の支持体（棚受、または横桟）１７を備えている什器本体１と、前後の支持体１７に前端部及び後端部がそれぞれ支持される、物品を載置可能な棚２１、２２、２３とを具備する収納用什器を構成した。
【００３９】
並びに、本実施形態では、物品を収納するための空間３１、３２、３３、３４、３５、３６を包有し、幅寸法が奥行寸法よりも大きく、その側端部よりも内側方に偏倚した位置に設立される中柱１２、及び中柱１２に固定される支持体１７を備えている什器本体１と、幅寸法が前記什器本体１の幅寸法よりも小さく、前記支持体１７に支持される、物品を載置可能な部分棚２１、２２、２３とを具備する収納用什器を構成した。
【００４０】
本実施形態によれば、棚の左右両側が什器本体に支持される既存の什器と比較して、収納空間３１、３２、３３、３４、３５、３６を様々な形状に区画することが可能となる。
【００４１】
前記支持体１７は、幅方向に拡張した横桟であり、前記棚２１、２２、２３の前端部または後端部における幅方向に拡張した範囲を安定的に支持することができる。
【００４２】
前記棚２１、２２、２３として、幅寸法が前記什器本体１の幅寸法よりも小さい部分棚２１、２２、２３を具備し、その部分棚２１、２２、２３よりも下方の領域と上方の領域とが当該部分棚２１、２２、２３により遮られずに連続した空間３２、３３、３４、３５を什器本体１が内包しているため、上下に高い縦長の形状の物品を収納することが容易となる。
【００４３】
前記什器本体１が、その側端部に設立される側柱１１と、側柱１１よりも内側方に偏倚した位置に設立される中柱１２とを備えており、側柱１１または中柱１２に前記支持体１７が固定されるものとしているため、支持体１７の幅寸法を什器本体１の幅寸法よりも短尺にでき、什器本体１内の空間３２、３３、３４、３５に対して物品を出し入れするための開口を大きくとることができる。即ち、支持体１７が物品の出し入れの妨げとならない。
【００４４】
前記支持体１７のうちの前側の支持体１７が固定される前記中柱１２と、後側の支持体１７が固定される前記中柱１２とが奥行方向に離間しており、前記棚２１がそれら中柱１２の間を通過して当該中柱１２よりも左右に拡張していることから、棚２１上に幅方向に連続した収納空間３１を形成できる。
【００４５】
前記棚２１の下面にブラケット２１１を介してバー２１２が固定され、衣服を掛けるハンガーのフックをそのバー２１２に引っ掛けてハンガー及び衣服を棚２１、２２、２３の下方の空間３５に吊り下げることができるものとすれば、什器本体１内の空間３１、３２、３３、３４、３５、３６の一部３５をワードローブとして使用可能となる。
【００４６】
なお、本発明は以上に詳述した実施形態に限られるものではない。例えば、上フレーム１３の笠木１３１及び下フレーム１５の幅木１５１に、中柱１２を締結するためのねじまたはボルト１２２を挿通する挿通孔１３１３、１５１３（及び、これと組となる貫通孔１３１４、１５１４）を、幅方向に沿って複数、間欠的に設けておいてもよい。さすれば、什器本体１において中柱１２を設立する位置を幅方向に沿って変位させ、及び／または、什器本体１に中柱１２を設立する本数を増減させることが可能となる。それに合わせて、棚２１、２２、２３及び支持体たる棚受１７の幅寸法を変更することで、什器本体１が内包する収納空間３１、３２、３３、３４、３５、３６の大きさや形状を任意に変更することができる。
【００４７】
側柱１１及び中柱１２に、棚受１７を締結するためのねじ１７３またはボルトを螺着するナット孔１１０、１２０を、上下方向に沿って複数、間欠的に設けておいてもよい。さすれば、什器本体１において棚受１７及び棚２１、２２、２３を配設する高さ位置を上下方向に沿って変位させることが可能となり、什器本体１が内包する収納空間３１、３２、３３、３４、３５、３６の大きさや形状を任意に変更することができる。
【００４８】
図１２に示すものは、什器本体１が内包する収納空間３０１、３０２、３０３、３０４、３０５、３０６、３０７の大きさ及び形状を上記実施形態から変更した一変形例である。この変形例では、中柱１２が三本存在する。そのうちの左方の中柱１２は、上記実施形態と同様、その上端部を上フレーム１３の笠木１３１に固定し、その下端部を下フレーム１５の幅木１５１に固定している。最上段の棚２０１を支持する棚受１７は、その左側端部を左方の側柱１１に固定し、その右側端部を右方の側柱１１に固定し、中間部を左方の中柱１２及び中央の中柱１２に固定している。最上段の棚２０１及びこの棚２０１の上の収納空間３０１は、左方の側柱１１の近傍から右方の側柱１１の近傍まで拡張している。
【００４９】
右方の中柱１２は、その下端部を幅木１５１に固定している。だが、右方の中柱１２の上下寸法は什器本体１の高さの半分程度であり、右方の中柱１２の上端部は上フレーム１３の笠木１３１まで到達しない。右方の中段の棚２０２を支持する棚受１７は、その左側端部を右方の中柱１２に固定し、その右側端部を右方の側柱１１に固定している。つまり、右方の中柱１２の上端部と、右方の中段の棚２０２を支持する棚受１７の左側端部とを連結することにより、その棚受１７を横桟として右方の中柱１２の上端部を右方の側柱１１に支持させている。右方の中段の棚２０２及びこの棚２０２の上の収納空間３０２は、右方の中柱１２の近傍から右方の側柱１１の近傍まで拡張している。
【００５０】
中央の中柱１２は、その上下寸法が什器本体１の高さよりも顕著に短くなっている。そして、中央の中柱１２の上端部は上フレーム１３の笠木１３１に接続せず、下端部もまた下フレーム１５の幅木１５１に接続していない。中央の中柱１２の上端部は、最上段の棚２０１を支持する棚受１７に連結している。この中央の中柱１２は、最上段の棚２０１を支持する棚受１７から懸垂して什器本体１内で宙に浮いている。左方の中段の棚２０３を支持する棚受１７は、その左側端部を左方の中柱１２に固定し、その右側端部を中央の中柱１２に固定している。中央の中柱１２の下端部は、左方の中段の棚２０３を支持する棚受１７に連結しており、その棚２０３及び棚受１７の右方を最上段の棚２０１を支持する棚受１７に吊持させている。左方の中段の棚２０３及びこの棚２０３の上の収納空間３０３は、左方の中柱１２の近傍から中央の側柱１１の近傍まで拡張している。
【００５１】
最下段の棚２０４を支持する棚受１７は、その左側端部を左方の中柱１２に固定し、その右側端部を右方の中柱１２に固定している。最下段の棚２０４及びこの棚２０４の上の収納空間３０４は、左方の中柱１２の近傍から右方の中柱１２の近傍まで拡張している。収納空間３０４は、右方の中段の棚２０２により遮蔽されずに右方の中段の棚２０２上の収納空間３０２と一体化して、変則的な異形の空間領域となっている。
【００５２】
上記実施形態と同様、中柱１２は前後に対をなして離間しており、それらの間を介して最上段の棚２０１の下方の収納空間３０２、３０３、３０４、３０５、３０６、３０７は互いに連通している。
【００５３】
上記実施形態及び変形例では、前後に対をなす中柱１２の幅方向に沿った位置が揃っていた、即ち前側の中柱１２の真後ろに後側の中柱１２が直立していた。だが、図１３に示すように、前側の中柱１２を設立する位置と、後側の中柱１２を設立する位置とを、幅方向に沿ってずらすこともできる。
【００５４】
棚２１、２２、２３、２０１、２０２、２０３、２０４、２０５の幅寸法と、これを支持する棚受１７の幅寸法とは、必ずしも一致している必要はなく、前者が後者よりも大きいこともあれば、前者が後者よりも大きいこともあり得る。即ち、棚２１、２２、２３、２０１、２０２、２０３、２０４、２０５の側端部が棚受１７の側端部を越えて側方に拡張（オーバーハング）してもよいし、棚受１７の側端部が棚２１、２２、２３、２０１、２０２、２０３、２０４、２０５の側端部を越えて側方に伸長してもよい。
【００５５】
図１３に示しているように、前後に対向する棚受１７の幅寸法及び幅方向に沿った位置が揃っていないこともあり得る。前側の中柱１２の位置と後側の中柱１２の位置とが幅方向に沿ってずれている場合や、棚２０５が一部切り欠かれている等の方形でない変則的な形状をなしている場合等には、前側の棚受１７と後側の棚受１７とが不揃いとなり得る。
【００５６】
上記実施形態及び変形例では、棚２１、２２、２３、２０１、２０２、２０３、２０４、２０５の前端部及び後端部を、側柱１１または中柱１２から幅方向に大きく拡張した支持体１７に支持させていた。だが、棚２１、２２、２３、２０１、２０２、２０３、２０４、２０５を支持する支持体を、側柱１１または中柱１２から幅方向に大きく拡張しないフック状のものとしても構わない。
【００５７】
上記実施形態及び変形例では、側柱１１が前後に対をなして離間していたが、側柱を奥行方向に拡張した板状体として前後に離間しないものとしてもよい。並びに、上記実施形態及び変形例では、中柱１２が前後に対をなして離間していたが、中柱を奥行方向に拡張した板状体として前後に離間しないものとしてもよい。何れにせよ、棚を支持する支持体を、側柱及び／または中柱に固定して支持させることに変わりはない。
【００５８】
さらには、棚２１、２２、２３、２０１、２０２、２０３、２０４、２０５を支持する支持体を、前側の側柱１１または中柱１２から後側の側柱１１または中柱１２に向かって奥行方向に拡張するものとすることを妨げない。その支持体は、棚２１、２２、２３、２０１、２０２、２０３、２０４、２０５の左側端部及び／または右側端部を支持することがある。
【００５９】
その他、各部の具体的な構成は、本発明の趣旨を逸脱しない範囲で種々変形が可能である。
【符号の説明】
【００６０】
１…什器本体
１１…側柱
１２…中柱
１７…支持体
２１、２２、２３、２０１、２０２、２０３、２０４、２０５…棚
２１１…ブラケット
２１２…バー
３１、３２、３３、３４、３５、３６、３０１、３０２、３０３、３０４、３０５、３０６、３０７…物品を収納するための空間
【図１】
2020065825.tif 000003
【図２】
2020065825.tif 000004
【図３】
2020065825.tif 000005
【図４】
2020065825.tif 000006
【図５】
2020065825.tif 000007
【図６】
2020065825.tif 000008
【図７】
2020065825.tif 000009
【図８】
2020065825.tif 000010
【図９】
2020065825.tif 000011
【図１０】
2020065825.tif 000012
【図１１】
2020065825.tif 000013
【図１２】
2020065825.tif 000014
【図１３】
2020065825.tif 000015